(57)【特許請求の範囲】
【請求項１】
第１の加熱コイルを第１の周波数で駆動する第１のインバータと、前記第１の周波数を制御する第１の周波数制御手段と、前記第１の周波数に関する周波数情報を出力する第１の周波数検知手段と、使用者の設定に対応して前記第１のインバータの出力を制御する第１の出力設定手段と、前記第１のインバータの動作状態に関する動作情報を出力する第１の動作状態検知手段と、第２の加熱コイルを第２の周波数で駆動する第２のインバータと、前記第２の周波数を制御する第２の周波数制御手段と、前記第２の周波数に関する周波数情報を出力する第２の周波数検知手段と、使用者の設定に対応して前記第２のインバータの出力を制御する第２の出力設定手段と、前記第２のインバータの動作状態に関する動作情報を出力する第２の動作状態検知手段と、前記第１および第２の周波数情報と前記第１および第２の動作情報とに基づいて前記第１および第２の出力設定手段の制御を補正する周波数補正手段とを備え、前記第１及び第２の動作状態検知手段は、前記各インバータ負荷の大小及び材質を判断し、前記各負荷の大小及び材質を示す前記動作情報を前記周波数補正手段に出力し、前記周波数補正手段は、前記第１のインバータの負荷を底径の小さな無負荷に近いホーロー鍋と判別する前記第１の動作状態検知手段からの動作情報と前記第２のインバータの負荷を底径の大きなホーロー鍋と判別する前記第２の動作状態検知手段からの動作情報とにより、前記第１と第２の周波数の差が所定レベルを越えかつ干渉音が発生する恐れがあると判断したときは前記第１のインバータの出力を低減して周波数を上げ、前記第１のインバータの負荷を底径の小さな無負荷に近いホーロー鍋と判別する前記第１の動作状態検知手段からの動作情報と前記第２のインバータの負荷を底径の大きな非磁性ステンレス鍋と判別する前記第２の動作状態検知手段からの動作情報とにより前記第１と第２の周波数の差が所定レベルを越えていても干渉音の発生が少ないと判断したときは前記第１及び第２のインバータの出力をそのままとして出力を補正しないように、前記第１および第２の出力制御手段に指示して制御を補正する多口誘導加熱調理器。
【請求項２】
動作状態検知手段が、インバータの現時点の入力電流値，出力レベル，および周波数を入力して負荷の大小を判定し、結果をディジタルデータにより動作情報として周波数補正手段に出力するようにした請求項１記載の多口誘導加熱調理器。
【請求項３】
周波数識別信号発生手段を備え、周波数検知手段が検知した周波数を離散的なＮ段階に区分してディジタルデータにより周波数補正手段に出力するようにした請求項１または２に記載の多口誘導加熱調理器。
【請求項４】
表示装置を備え、周波数が補正されたときに表示するようにした請求項１ないし３のいずれかに記載の多口誘導加熱調理器。
【請求項５】
表示装置を備え、周波数補正手段による周波数の補正量あるいは前記周波数の補正に伴う出力レベルの抑制量が所定値を越えたときに表示するようにした請求項１ないし４のいずれかに記載の多口誘導加熱調理器。
【発明の詳細な説明】
【０００１】
【産業上の利用分野】
本発明は、複数の加熱コイルを備え、その複数の加熱コイルが同時に作動したとき、加熱コイルから発生する磁界の相互干渉により発生する相互の発振周波数差の干渉音が発生しないようにする多口誘導加熱調理器に関する。
【０００２】
【従来の技術】
近年、大出力の加熱コイルと、それを駆動するインバータとを複数組備えた多口誘導加熱調理器が多く提供されてきている。
【０００３】
同一本体内に複数の加熱コイルを備える場合には、加熱コイルにインバータから供給される高周波電流の発振周波数が異なると、干渉音が発生する恐れがある。そのため、従来、たとえば特公昭６１−１３３５５号公報の第１図に開示されているように、複数の加熱コイルの周波数を周波数混合器に入力して周波数差を検出し、その周波数差が小さい場合には可変周波数出力制御が選択され、周波数差が大きい場合にはデューティ可変出力制御が選択される構成の多口誘導加熱調理器が提案されている。
【０００４】
また、一定周波数で出力を連続可変できる２石式のインバータを搭載した誘導加熱も提案されている。
【０００５】
【発明が解決しようとする課題】
上記の特公昭６１−１３３５５号公報に示される構成では、加熱コイルに供給される電流の周波数を検知するために、変流器５，１３と周波数混合器１８とが必要となり、また周波数差の大小により可変周波数出力制御とデューティ出力制御とを切り換える制御回路が必要で、回路構成が複雑になるという問題があった。
【０００６】
また、２石式の一定周波数出力可変インバータは、電位の異なるパワースイッチング素子を備え、それらのスイッチング損失が大きくなる傾向があるため、パワー部の部品点数が増加し、本体の小型化が困難となるという問題があった。
【０００７】
本発明は上記課題を解決するもので、周波数可変機能を備えたインバータ回路を複数個備え、相互の加熱コイルから発生する干渉音が少なく、かつ小型の多口誘導加熱調理器を提供することを目的とする。
【０００８】
【課題を解決するための手段】
請求項１に係わる発明は、第１の加熱コイルを第１の周波数で駆動する第１のインバータと、前記第１の周波数を制御する第１の周波数制御手段と、前記第１の周波数に関する周波数情報を出力する第１の周波数検知手段と、使用者の設定に対応して前記第１のインバータの出力を制御する第１の出力設定手段と、前記第１のインバータの動作状態に関する動作情報を出力する第１の動作状態検知手段と、第２の加熱コイルを第２の周波数で駆動する第２のインバータと、前記第２の周波数を制御する第２の周波数制御手段と、前記第２の周波数に関する周波数情報を出力する第２の周波数検知手段と、使用者の設定に対応して前記第２のインバータの出力を制御する第２の出力設定手段と、前記第２のインバータの動作状態に関する動作情報を出力する第２の動作状態検知手段と、前記第１および第２の周波数情報と前記第１および第２の動作情報とに基づいて前記第１および第２の出力設定手段の制御を補正する周波数補正手段とを備え、前記第１及び第２の動作状態検知手段は、前記各インバータ負荷の大小及び材質を判断し、前記各負荷の大小及び材質を示す前記動作情報を前記周波数補正手段に出力し、前記周波数補正手段は、前記第１のインバータの負荷を底径の小さな無負荷に近いホーロー鍋と判別する前記第１の動作状態検知手段からの動作情報と前記第２のインバータの負荷を底径の大きなホーロー鍋と判別する前記第２の動作状態検知手段からの動作情報とにより、前記第１と第２の周波数の差が所定レベルを越え干渉音が発生する恐れがあると判断したときは前記第１のインバータの出力を低減して周波数を上げ、前記第１と第２の周波数の差が所定レベルを越えていても前記第１のインバータの負荷を底径の小さな無負荷に近いホーロー鍋と判別する前記第１の動作状態検知手段からの動作情報と前記第２のインバータの負荷を底径の大きな非磁性ステンレス鍋と判別する前記第２の動作状態検知手段からの動作情報とにより干渉音の発生が少ないと判断したときは前記第１及び第２のインバータの出力をそのままとして出力を補正しないように、前記第１および第２の出力制御手段に指示して制御を補正する多口誘導加熱調理器であり、また、
請求項２に係わる発明は、動作状態検知手段が、インバータの現時点の入力電流値，出力レベル，および周波数を入力して負荷の大小を判定し、結果をディジタルデータにより動作情報として周波数補正手段に出力するようにした請求項１記載の多口誘導加熱調理器であり、また、
請求項３に係わる発明は、周波数識別信号発生手段を備え、周波数検知手段が検知した周波数を離散的なＮ段階に区分してディジタルデータにより周波数補正手段に出力するようにした請求項１ないし６のいずれかに記載の多口誘導加熱調理器であり、また、
請求項４に係わる発明は、表示装置を備え、周波数が補正されたときに表示するようにした請求項１ないし７のいずれかに記載の多口誘導加熱調理器であり、また、
請求項５に係わる発明は、表示装置を備え、補正された周波数、および補正に伴って出力レベルが所定値を越えたときに表示するようにした請求項１ないし４のいずれかに記載の多口誘導加熱調理器である。
【０００９】
【作用】
請求項１に係わる発明において、動作状態検知手段が、インバータの負荷の大小をインバータ入力電流，インバータ出力，および周波数とにより判定し、周波数補正手段は、第１および第２の出力設定手段が制御設定した出力状態において、各インバータの負荷状態とそれぞれの周波数とに応じて、出力設定手段が設定している出力レベルを補正して周波数を変える。また、周波数補正手段は、第１のインバータの負荷を底径の小さな無負荷に近いホーロー鍋と判別する第１の動作状態検知手段からの動作情報と第２のインバータの負荷を底径の大きなホーロー鍋と判別する第２の動作状態検知手段からの動作情報とにより第１と第２の周波数の差が所定レベルを越えかつ干渉音が発生する恐れがあると判断したときには第１のインバータ出力を下げて周波数を変えるが、第１のインバータの負荷を底径の小さな無負荷に近いホーロー鍋と判別する第１の動作状態検知手段からの動作情報と第２のインバータの負荷を底径の大きな非磁性ステンレス鍋と判別する第２の動作状態検知手段からの動作情報とにより前記第１と第２の周波数の差が所定レベルを越えていても干渉音の発生が少ないと判断したときには第１及び第２の周波数を変えないように出力設定手段の制御を補正し、干渉音が発生する可能性がある負荷の組み合わせの場合には負荷の大小に応じて発振周波数を補正し、周波数差がある程度あっても干渉音の起こりにくい負荷の組み合わせの場合には周波数を変えず、また発振周波数差の許容量を増加させるような操作を可能として、調理上不都合ができるだけ起こらないようにきめ細かい補正を可能にする。
【００１０】
請求項２に係わる発明において、動作状態検知手段は、負荷の大小情報をディジタルデータで出力する。また、
請求項３に係わる発明において、周波数識別信号発生手段は、周波数検知手段の周波数情報を離散化してディジタルデータで出力し、インバータの発振周波数がどの周波数領域にあるかに区分するとともに、ディジタルデータ化して、周波数制御手段と周波数補正手段との間の大きい電位差間をフォトトランジスタなどの絶縁型素子で伝送可能とし、また、高周波雑音による誤動作を防止する。また、
請求項４に係わる発明において、表示装置は、周波数補正のあったときに表示して、使用者の意図設定したレベルから変動したことを認識させる。また、
請求項５に係わる発明において、表示装置は、補正された周波数の補正量あるいは周波数補正時における出力抑制量の所定値超過を表示し、使用者が意図設定したレベルから変動しても所定レベル以下であれば表示しないようにして、使用者に無用な不安感を与えない。
【００１１】
【実施例】
（参考例１）
以下、本発明の多口誘導加熱調理器の一参考例について図面を参照しながら説明する。
【００１２】
図１は、２個の加熱コイルを備えた多口誘導加熱調理器の構成を示すブロック図である。図において、２００Ｖの商用電源１には全波整流器２ａが接続され、その直流出力端子には第２のインバータ３ａが接続されており、第２のインバータ３ａの最大消費電力は２ｋＷに設定されている。第２のインバータ３ａは第２の加熱コイル４ａと第２のＬＣ回路部５ａと第２のトランジスタ６ａとを備え、第２のＬＣ回路部５ａはチョークコイルとコンデンサからなるフィルタ回路や共振コンデンサなどで構成されている。
【００１３】
第２のカレントトランス７ａは入力電流を検知して第２の入力電流検知手段８ａに検知電圧を出力する。第２の入力電流検知手段８ａは第２のカレントトランス７ａの検知電圧を入力して、第２の出力設定手段１０ａに検知電圧を出力する。第２の操作部９ａはタクトスイッチを押すことにより使用者が命令を入力するもので、第２の出力設定手段１０ａにその命令に対応した信号を出力する。第２の電圧検知手段１１ａは第２のトランジスタ６ａのコレクタ−エミッタ間電圧に比例した電圧を第２の周波数制御手段１２ａに出力する。
【００１４】
第２の出力設定手段１０ａは第２の入力電流検知手段８ａと第２の操作部９ａの出力信号とを比較するとともに、第２の電圧検知手段１１ａの出力レベルを基準電圧と比較し、その比較結果に応じて第２の周波数制御手段１２ａに出力設定電圧を出力する。また、第２の出力識別手段１６ａは第２のインバータ３ａが動作中か否かと、最大出力設定されているかどうかとを示す２桁の２値信号を周波数補正手段１５に出力し、第１の出力識別手段１６ｂも第１のインバータ３ｂが動作中か否かと、最大出力設定されているかどうかとを示す２桁の２値信号を周波数補正手段１５に出力する。周波数補正手段１５はそれらの信号の内容に応じて、第２のインバータ３ａまたは第１のインバータ３ｂの出力制御を、周波数制御でするか、デューティ制御でするかを決定する。
【００１５】
第２の周波数制御手段１２ａは第２の出力設定手段１０ａが出力する出力設定電圧レベルに応じて第２のトランジスタ６ａの駆動時間を決定する。第２の周波数検知手段１３ａは第２の周波数制御手段１２ａの発振周波数を検知するもので、その検知結果を周波数識別信号発生手段１４に出力する。周波数識別信号発生手段１４は、あらかじめ６４段階に区別された周波数範囲のテーブルを備え、第２の周波数検知手段１３ａの検知結果がその段階に区分された周波数範囲のいずれの段階に属するかを判別し、各段階に対応した信号を６ビットの信号で出力する。
【００１６】
商用電源１には上記と異なる第１の加熱コイル４ｂを駆動する誘導加熱装置が接続されており、第１の全波整流器２ｂ，第１の加熱コイル１ｂと第１のトランジスタ６ｂを含む第１のインバータ３ｂ，第１のカレントトランス７ｂ，第１の入力電流検知手段８ｂ，第１の操作部９ｂ，第１の出力設定手段１０ｂ，第１の電圧検知手段１１ｂ，第１の周波数制御手段１２ｂ，および第１の周波数検知手段１３ｂが上述の誘導加熱装置の各回路ブロックに対応して構成され、同様の働きをする。
【００１７】
周波数補正手段１５は、また、周波数識別信号発生手段１４が出力する周波数識別信号と第１の周波数検知手段１３ｂの検知結果とを入力して比較し、周波数差が所定値以上であれば、第２の出力識別手段１６ａと第１の出力識別手段１６ｂの出力情報に応じて、発振周波数の低いインバータの出力を低下させるように、第２の出力設定手段１０ａまたは第１の出力設定手段１０ｂに信号を出力して、一方の側の発振周波数を高くする。
【００１８】
上記構成の誘導加熱調理器についてその動作を説明する。使用者が第２の加熱コイル４ａの上にホーロー鍋を載置し、第２の操作部９ａの加熱キーを押すと、第２の出力設定手段１０ａがそれを検知して最大出力、すなわち２ｋＷに対応した基準信号を第２の周波数制御手段１２ａに出力する。本参考例では、マイクロコンピュータがこれらを実行する。すなわち、前記の第２の操作部９ａの加熱キーのオン状態の発生を検知し、内部の記憶部から対応するディジタルの基準信号を読み取る。
【００１９】
第２の出力設定手段１０ａは比較部を備え、前記マイクロコンピュータにその比較機能が装備されており、前記の基準信号と第２の入力電流検知手段８ａの検知出力をＡ／Ｄ変換したデータとを比較して、制御信号を出力ポートに出力する。第２の周波数制御手段１２ａにおいて、第２の出力設定手段１０ａを構成するマイクロコンピュータから出力された信号はアナログ信号に変換され、その信号を基にパルス幅制御が行われ、第２のトランジスタ６ａのベースエミッタ間に駆動パルスが出力される。第２のトランジスタ６ａの駆動信号のパルス幅に応じて第２の加熱コイル４ａと第２のＬＣ回路部５ａの共振コンデンサに発生する高周波の共振電流が変化して高周波出力が変化する。この場合には前記基準信号が最大出力に対応しているのでパルス幅が前記ホーロー鍋負荷において最大となり、第２のインバータ３ａの出力が最大、すなわち２ｋＷとなって、発振周波数は約２５ｋＨｚとなる。周波数識別信号発生手段１４は２０ｋＨｚから４０ｋＨｚまでの周波数範囲を６４分割し、発振周波数がそのいずれの範囲にあるかを示しているので、約０．３ｋＨｚきざみの段階でその発振周波数範囲を示すディジタル信号を出力する。また、第２の出力識別手段１６ａは第２のインバータ３ａが最大出力設定で動作中であることを示す２桁の２値信号を周波数補正手段１５に出力する。
【００２０】
また、第１の加熱コイル４ｂの上にも上記と同様のホーロー鍋を載置し、第１の操作部９ｂの加熱キーを押すと、上記と同様に第１のインバータ３ｂの出力が最大となり、出力２ｋＷで、発振周波数は約２５ｋＨｚとなる。また、第１の出力識別手段１６ｂは第１のインバータ３ｂが最大出力設定で動作中であることを示す２値信号を周波数補正手段１５に出力する。
【００２１】
つぎに、上記の状態のままで第２の操作部９ａの入力キーを操作して、最小出力設定とすると、第２の出力識別手段１６ａは、第２のインバータ３ａが最大出力設定以外の出力設定で動作することを示す２桁の２値信号を周波数補正手段１５に出力する。周波数補正手段１５は、すでに上記のように、第１の出力識別手段１６ｂから第１のインバータ３ｂが最大出力設定で動作中であるという信号を入力しているので、第２のインバータ３ａの発振周波数を最大出力設定に対応した値にしたままで、いわゆるデューティー制御により最小出力設定に対応したオン，オフ比率で第２のインバータ３ａの出力制御を行う。このとき、第１のインバータ３ｂの動作が停止すると、第１の出力識別手段１６ｂからの信号が停止に対応した信号に変わるので、周波数補正手段１５は第１の出力設定手段１０ｂに信号を送って出力制御をデューティー制御から周波数制御に切り替え、その結果、発振周波数は最小出力設定に対応して高くなり、約３５ｋＨｚになって出力電力が約３００Ｗとなる。
【００２２】
つぎに、第２の加熱コイル４ａの上にホーロー鍋を置いて最大出力設定で動作させ、同時に第１の加熱コイル４ｂの上に材質が非磁性のステンレスの鍋を置いて第１の操作部９ｂの入力キーを押して最大出力設定として動作させると、第１の電圧検知手段１１ｂが動作して約１２００Ｗの出力電力に抑制され、このときの発振周波数は約３３ｋＨｚとなる。周波数補正手段１５は、周波数識別信号発生手段１４から第２のインバータ３ａの発振周波数が約２５ｋＨｚであることを示す信号を入力しており、第１のインバータ３ｂとの周波数差を演算し、この場合は周波数差が約８ｋＨｚとなるので、第２の出力設定手段１０ａに出力ダウン信号を送り、第２のインバータ３ａの発振周波数が第１のインバータ３ｂの発振周波数より１ｋＨｚ高い約３４ｋＨｚになるように、第２のインバータ３ａの発信周波数を高くする。このとき、第２のインバータ３ａの出力電力は約８００Ｗに抑制される。
【００２３】
以上のように本参考例によれば、第２のインバータ３ａの発振周波数を検知する第２の周波数検知手段１３ａの検知結果をもとに、第２のインバータ３ａの発振周波数を離散的な６４段階で示す周波数識別信号を出力する周波数識別信号発生手段１４を備え、周波数補正手段１５が、その周波数識別信号と、第１のインバータ３ｂの周波数を検知する第１の周波数検知手段１３ｂからの信号を入力して、第２のインバータ３ａと第１のインバータ３ｂの発振周波数差が１ｋＨｚ以内となるよう発振周波数の低いインバータの周波数を上げるので、第２の加熱コイル４ａと第１の加熱コイル４ｂとを同時に最大出力設定で動作させたとき、発振周波数がほぼ同じである場合、操作部での設定通りにインバータがデューティー制御で動作し、発振周波数が異なってその差が１ｋＨｚ以上である場合、自動的に発振周波数の低い加熱コイルの発振周波数を上げて、その差が１ｋＨｚ以内となるように加熱出力を調整するので、発振周波数差に起因する干渉音の発生を防止することができる。
【００２４】
また、第２のインバータ３ａの発振周波数を離散的な６４段階で示す周波数識別信号を出力する周波数識別信号発生手段１４を備えているので、６桁の２値信号で信号伝達可能となり、第２のインバータ３ａの周波数範囲に関する情報を、電位の大きく異なる周波数補正手段１５に伝達するのにフォトトランジスタなどの、オンオフによるディジタル的な絶縁信号伝達素子を使用することが可能となり、回路構成が簡素化されるとともに、雑音などの影響を受けて誤動作する恐れが少なくなり信頼性が向上する。
【００２５】
また、第２の操作部９ａから入力して設定される第２のインバータ３ａの出力設定レベルが最大出力設定か否か、および第２のインバータ３ａが動作中か否かを判別してオンオフ信号を出力する第２の出力識別手段１６ａの出力信号と、第１のインバータ３ｂの出力設定が最大出力設定か否か、および第１のインバータ３ｂが動作中か否かを判別する第１の出力識別手段１６ｂの出力信号とにより、周波数補正手段１５が周波数補正とするか、またはデューティー制御とするかを決定するので、第２のインバータ３ａと第１のインバータ３ｂのいずれかひとつが最大出力設定以下の設定になった場合においても、自動的に周波数制御とデューティー制御を切り替えることにより、発振周波数の差を所定値以下にして干渉音の発生を防止することができる。また、出力設定手段１０は２桁の２値信号により、ディジタル的に信号を周波数補正手段１５に出力するので、信号伝達構成が簡素で雑音の影響を少なくすることができる。
【００２６】
（実施例１）
以下、本発明の実施例について図面を参照しながら説明する。図２は本実施例の構成を示すブロック図である。なお、図１に示した参考例１と同様の機能をもつ要素には、同一の番号を付している。本実施例が参考例１と異なる点を以下に述べる。
【００２７】
まず、第２の動作状態検知手段２０ａと第１の動作状態検知手段２０ｂとを備え、第２の動作状態検知手段２０ａは、第２の電圧検知手段１１ａの出力信号と第２の入力電流検知手段８ａの出力信号と第２の周波数検知手段１３ａの出力信号とを入力し、周波数補正手段１７に信号を出力する。また、第１の動作状態検知手段２０ｂは、第１の電圧検知手段１１ｂの出力信号と、第１の入力電流検知手段８ｂの出力信号と、第１の周波数検知手段１３ｂの出力信号を入力して、周波数補正手段１７に６桁の２値信号を出力する。
【００２８】
また、第２の表示手段１９ａと第１の表示手段１９ｂとを設け、第２の表示手段１９ａは第２の出力設定手段１８ａの出力信号によりＬＥＤを点灯させ、第１の表示手段１９ｂは第１の出力設定手段１８ｂの出力信号によりＬＥＤを点灯させる。
【００２９】
上記構成の多口誘導加熱調理器について、その動作を説明する。第２の加熱コイル４ａの上に底径が約２０ｃｍのホーロー鍋が載置され、第１の加熱コイル４ｂの上には底径が約８ｃｍのホーロー鍋が載置され、第２の加熱コイル４ａは第２の操作部９ａの入力キーにより最大出力設定され、第１の加熱コイル４ｂも同じく第１の操作部９ｂの入力キーにより最大出力設定されたとする。
【００３０】
第１のインバータ３ｂの負荷となる鍋の底径が小さいので、無負荷動作に近く、通常、第１の電圧検知手段１１ｂが動作して出力を抑制し、出力電力は９００Ｗに抑えられ、そのときの発振周波数は約２１ｋＨｚとなる。第１の動作状態検知手段２０ｂは、第１の入力電流検知手段８ｂから入力電流が小さいという情報と、第１の電圧検知手段１１ｂの出力信号によりインバータに発生する電圧が高いという情報と、第１の周波数検知手段１３ｂの出力信号により発振周波数が低いという情報とを入力して、無負荷に近い鍋であると判別し、１桁の２値信号の「１」を周波数補正手段１７に送る。
【００３１】
一方、第２のインバータ３ａの負荷となる鍋底は径が大きく、発振周波数は約２５ｋＨｚで、第２の動作状態検知手段２０ａは、第２の入力電流検知手段８ａの出力信号と第２の電圧検知手段１１ａの出力信号とにより通常負荷であると判別し、１桁の２値信号の「０」を周波数補正手段１７に出力する。
【００３２】
周波数補正手段１７は第２の動作状態検知手段２０ａから信号「０」を入力し、第１の動作状態検知手段２０ｂから信号「１」を入力しているので、「１」の信号を出力する第１のインバータ３ｂの発振周波数を約２１ｋＨｚから約２４ｋＨｚまで高くして、出力電力を約９００Ｗから約７５０Ｗに低減するための信号を、第１の出力設定手段１８ｂに出力する。このとき、第１の出力設定手段１８ｂは第１の表示手段１９ｂに信号を出力してＬＥＤを点灯する。
【００３３】
つぎに、上記の状態で第２の加熱コイル４ａの上に置く鍋を、底径が約２０ｃｍの非磁性ステンレンス鍋とすると、第２の電圧検知手段１１ａが動作して出力を抑制し、出力電力は約１２００Ｗに抑えられ、このときの発振周波数は約３３ｋＨｚとなる。第２の動作状態検知手段２０ａは、第２の入力電流検知手段８ａによる検知電流値が約６Ａで、第２の電圧検知手段１１ａによるリミットがかかり、第２の周波数検知手段１３ａで検知する発振周波数が約３３ｋＨｚという情報を基に、２値信号の「１」を周波数補正手段１７に出力する。
【００３４】
周波数補正手段１７は第２の動作状態検知手段２０ａと第１の動作状態検知手段２０ｂから入力する信号がともに「１」となるので、周波数の補正処理を実行しない。このとき、第２のインバータ３ａと第１のインバータ３ｂの発振周波数差は約１２ｋＨｚとなるが、実験によると干渉音はそれほど大きくなく、気にならない程度である。これは、鍋の材質による漏洩磁束の分布と強度の違いによるものである。
【００３５】
以上のように、本実施例によれば第２のインバータ３ａと第１のインバータ３ｂの動作状態をそれぞれ検知する第２の動作状態検知手段２０ａと第１の動作状態検知手段２０ｂと、第２のインバータ３ａの第２の周波数検知手段１３ａの検知結果と第１のインバータ３ｂの第１の周波数検知手段１３ｂの検知結果に応じて、第２のインバータ３ａの発振周波数または第１のインバータ３ｂの発振周波数を補正する周波数補正手段１７を備え、周波数補正手段１７は第２の動作状態検知手段２０ａの検知結果と第１の動作状態検知手段２０ｂの検知結果とに応じて、第２のインバータ３ａの発振周波数を補正するか、または第１のインバータ３ｂの発振周波数を補正するかを決定する構成とするので、発振周波数の差により干渉音が発生する恐れのある場合にはいずれか一方の出力電力を抑制して防止するとともに、負荷の材質によって発振周波数の差が所定レベルを越えていても干渉音の発生が少ない場合には、周波数差をなくすために出力を抑制することを避け、調理性能を制限するのを避けることが可能となる。
【００３６】
なお、本実施例において第１の表示手段１９ｂのＬＥＤが点灯する場合を、周波数補正手段１７が第１のインバータ３ｂの発振周波数の補正処理を実行したときとしたが、周波数補正手段１７の第１のインバータ３ｂの発振周波数の補正量が所定レベル以上となった場合とすれば、わずかな補正量で表示して使用者に過度の不信感を与えるのを防止できる。また、補正量に応じて表示すればさらに使用者に親切な表示となる。
【００３７】
【発明の効果】
以上のように本発明は、第１の周波数検知手段の検知結果と第２の周波数検知手段の検知結果に応じて第１のインバータの発振周波数または前記第２の発振周波数を補正する周波数補正手段が、第１の動作状態検知手段の検知結果と第２の動作状態検知手段の検知結果に応じて、第１のインバータの発振周波数を補正するかまたは前記第２のインバータの発振周波数を補正するかを決定するので、発振周波数の差により干渉音が発生する恐れのある場合には一方の出力電力を抑制して防止するとともに、負荷の材質によって発振周波数の差が所定レベルを越えていても干渉音の発生が少ない場合には、周波数差をなくすために出力を抑制することを避け、調理性能を制限するのを避けることが可能となるものである。
【００３８】
また本発明は、周波数補正手段により発振周波数が補正された場合に表示する表示装置を設けたので、複数の加熱コイルを駆動したときに、周波数補正手段により自動的にいずれかの加熱コイルを駆動するインバータの出力電力が抑制された場合に、使用者が気付かずに故障したと勘違いするのを防止することができるものである。
【００３９】
また本発明は、周波数補正手段により補正された発振周波数の補正量あるいはそれに伴う出力レベルの抑制量が所定値を越えた場合に表示する表示装置を設けたので、複数の加熱コイルを駆動したときに、周波数補正手段により自動的にいずれかの加熱コイルを駆動するインバータの出力電力が大幅に抑制された場合に、使用者が気付かずに故障したと勘違いするのを防止できるとともに、周波数補正手段による出力電力の抑制量がわずかであれば表示せず、むやみに使用者に警告を与えて過度の不安感を与えるのを防止できる。
【図面の簡単な説明】
【図１】  本発明の参考例１の多口誘導加熱調理器の構成を示すブロック図
【図２】  本発明の実施例１の多口誘導加熱調理器の構成を示すブロック図
【符号の説明】
３ａ  第２のインバータ
３ｂ  第１のインバータ
４ａ  第２の加熱コイル
４ｂ  第１の加熱コイル
１０ａ  第２の出力設定手段
１０ｂ  第１の出力設定手段
１２ａ  第２の周波数制御手段
１２ｂ  第１の周波数制御手段
１３ａ  第２の周波数検知手段
１３ｂ  第１の周波数検知手段
１４  周波数識別信号発生手段
１５  周波数補正手段
１６ａ  第２の出力識別手段
１６ｂ  第１の出力識別手段
１７  周波数補正手段
１９ａ  第２の表示手段
１９ｂ  第１の表示手段
２０ａ  第２の動作状態検知手段
２０ｂ  第１の動作状態検知手段
【図１】
0003785647.tif 000002
【図２】
0003785647.tif 000003